(57)【要約】【課題】  眼鏡を装着した際でもメガネレンズの曇りを防止することが可能なマスクの提供。【解決手段】  口および鼻孔を覆うことの可能なマスク本体に、その着用者が眼鏡を装着した際に眼鏡のパッドで押えられる被押圧部が上方に延設して形成されているマスク。【選択図】  図３
2008264277.tif 000002
【特許請求の範囲】
【請求項１】
口および鼻孔を覆うことの可能なマスク本体に、その着用者が眼鏡を装着した際に眼鏡のパッドで押えられる被押圧部が上方に延設して形成されていることを特徴とするマスク。
【請求項２】
被押圧部はその上端部がマスク本体の着用者の鼻尖を超え、しかもマスク本体の着用者の眉間よりも下位にあって、被押圧部はその左右幅が、眼鏡のパッドで押えられて鼻梁から鼻脇に向かう状態でマスク本体の装着者の目頭間の距離程度となるよう設定されていることを特徴とする請求項１記載のマスク。
【請求項３】
マスク本体の側部に、マスク本体を着用者の顔面に保持するための耳掛け部が設けられて、被押圧部は耳掛け部を耳に掛けた際に左右に張られた状態で眼鏡のパッドで押圧されるよう構成されていることを特徴とする請求項１または請求項２記載のマスク。
【請求項４】
一枚のシートから形成されていることを特徴とする請求項１ないし請求項３の何れかに記載のマスク。
【請求項５】
シートは不織布であることを特徴とする請求項４記載のマスク。
【請求項６】
被押圧部に横方向の切断目が形成されていることを特徴とする請求項１ないし請求項５の何れかに記載のマスク。
【発明の詳細な説明】
【技術分野】
【０００１】
本発明は、マスク（衛生マスク）に関する。
【背景技術】
【０００２】
従来、花粉やハウスダスト等の吸引を防止したり、院内感染を防止したり、あるいは流感の患者が装着したりするためのマスクとして、例えば特許文献１に示すものがある。
【０００３】
この特許文献１には、マスク本体と薄膜帯状体とから構成されており、薄膜帯状体はマスク本体の上端縁全幅にわたってその上方に突出され、マスクの着用によって眼鏡の内側に潜ってメガネフレームの下縁に押さえつけられ、頬の上辺りに密着する、というものである。
【０００４】
上記構成のマスクを装着して眼鏡を装着すると、そのメガネフレームの下縁に薄膜帯状体が押さえつけられて頬の上辺りに密着することで、マスク本体上端縁で両鼻翼から頬にかかる部分に形成されてしまう隙間からの呼気の上方側（眼鏡側）への漏れだしを抑制してメガネレンズの曇りを防止することができる、というものである。
【特許文献１】特開２００１−５６５号公報
【発明の開示】
【発明が解決しようとする課題】
【０００５】
しかしながら、一般に眼鏡を装着するとメガネフレームの下縁と両鼻翼から頬にかかる部分には隙間が生じているものである。つまり、上記従来のマスクを装着して眼鏡を装着したとしても、必ずしもメガネフレームの下縁に薄膜帯状体が押さえつけられる、ということにはならない。
【０００６】
よって、マスク本体上端縁で両鼻翼から頬にかかる部分に形成されてしまう隙間からの呼気の上方側への漏れだしを抑制してメガネレンズの曇りを防止する、という作用効果は期待できない場合が多い。
【０００７】
そこで本発明は、上記従来の問題に鑑み、眼鏡を装着した際でもメガネレンズの曇りを防止することが可能なマスクの提供を課題とする。
【課題を解決するための手段】
【０００８】
本発明のマスクは、口および鼻孔を覆うことの可能なマスク本体に、その着用者が眼鏡を装着した際に眼鏡のパッドで押えられる被押圧部が上方に延設して形成されていることを特徴としている。
【０００９】
上記構成によれば、着用者がマスク本体で口および鼻孔を覆うようにしてマスクを着用し、眼鏡を装着すると、被押圧部が眼鏡のパッド（鼻当て）で鼻梁の側方の領域で押圧されるから、少なくともその領域においてはマスク本体が顔面にフィットするようになり、したがってその分だけ呼気が上方に抜けにくくなって着用者の呼気によるメガネレンズの曇りを抑えるようになる。
【００１０】
本発明のマスクでは、被押圧部はその上端部がマスク本体の着用者の鼻尖を超え、しかもマスク本体の着用者の眉間よりも下位にあって、被押圧部はその左右幅が、眼鏡のパッドで押えられて鼻梁から鼻脇に向かう状態でマスク本体の装着者の目頭間の距離程度となるよう設定されていることを特徴としている。
【００１１】
上記構成によれば、眼鏡のパッドで被押圧部が確実に押えられ、しかも目頭間での被押圧部の存在が煩わしくない。
【００１２】
本発明のマスクは、マスク本体の側部に、マスク本体を着用者の顔面に保持するための耳掛け部が設けられて、被押圧部は耳掛け部を耳に掛けた際に左右に張られた状態で眼鏡のパッドで押圧されるよう構成されていることを特徴としている。
【００１３】
上記構成によれば、耳掛け部を着用者の耳に掛けると、耳と鼻尖との間でマスク本体が、着用者の顔の大きさに応じた力で左右に引張られる状態となり、このような状態において眼鏡を装着してパッドで被押圧部を押圧することにより、マスク本体が着用者の顔面にフィットするようになるから、呼気によるメガネレンズの曇りを抑制することが可能となる。
【００１４】
本発明のマスクは、一枚のシートから形成されていることを特徴としている。
上記構成によれば、製造コストが安価になる。
【００１５】
本発明のマスクでは、シートは不織布であることを特徴としている。
この構成によれば、丈夫なマスクとなり、しかも花粉等の進入を抑えられる。
【００１６】
本発明のマスクは、被押圧部に横方向の切断目が形成されていることを特徴としている。なお、切断目の一例として、ミシン目があげられる。
上記構成によれば、着用者の顔の形状や大きさに合わせ、必要に応じて切断目で切断することにより、余計な部分を取除くことができ、マスクを快適に使用することができる。また、特別に設けた切断目によって、着用者は手指の力で不要な部分を容易に取除くことが可能である。
【発明の効果】
【００１７】
本発明のマスクによれば、着用者がマスク本体で口および鼻孔を覆うようにしてマスクを着用し、眼鏡を装着すると、被押圧部が眼鏡のパッド（鼻当て）で鼻梁の側方の領域で押圧されるから、少なくともその領域においてはマスク本体が顔面にフィットするようになり、したがってその分だけ呼気が上方に抜けにくくなって着用者の呼気によるメガネレンズの曇りを抑えることができる。
【発明を実施するための最良の形態】
【００１８】
以下、図面を参照して本発明の実施形態に係るマスクを、立体マスクを例に説明する。
図１は本発明の実施形態に係る立体マスクを展開する前すなわち半折の状態の平面図、図２は立体マスクの正面展開図、図３は立体マスクを着用し眼鏡を装着した使用状態図、図４は下のミシン目で被押圧部を切取った後の平面図、図５は下のミシン目で被押圧部を切取った状態の展開図である。
【００１９】
本発明の実施形態に係る立体マスク１は、マスク着用者の顔面の口（口唇）２および鼻翼を含んで鼻孔３を覆うことの可能なマスク本体４と、マスク着用者が眼鏡５を装着した際にそのパッド（鼻掛け部）６で顔面に向けて押圧される被押圧部７と、マスク本体４の側部に一体的に設けられてマスク本体４を着用者の顔面に保持するための耳掛け部８とを備える。
【００２０】
この実施形態におけるマスクは立体マスク１であるから、そのマスク本体４は、マスク着用者の顔面において最も突出している部分である鼻１０等を考慮して鼻１０の少なくとも鼻孔３および口２を覆うことができる構成の大きさ・形状である。このマスク本体４は、不織布を立体裁断して形成されている。
【００２１】
図１に示すように、マスク本体４の左右方向中心上部で上方向に大きく突出している部分が被押圧部７である。これは、立体マスク１の着用者の鼻１０の鼻梁１１の一部および鼻梁１１から鼻脇に向かうよう覆うことが可能である。
【００２２】
被押圧部７は、着用者が眼鏡５を装着した際に、眼鏡５のパッド６があたることが可能なようその左右幅が設定されている。すなわち、被押圧部７はその上端部７ａがマスク本体４の着用者の鼻尖を超え、しかもマスク本体４の着用者の眉間１２と同等高さか、あるいは下位にあるような設定が好ましい。
そして、被押圧部７はその左右幅が、眼鏡５のパッド６で押えられて鼻梁１１から鼻脇に向かう状態でマスク本体４の装着者の目頭１３間の距離程度となるよう設定されている。
【００２３】
図１で破線Ａ，Ｂはそれぞれ切断目としての上下に離間したミシン目であり、これらミシン目Ａ，Ｂは、上下に離間して形成されている。すなわち、着用者の鼻１０の上下方向長さに応じて、上のミシン目Ａか下のミシン目Ｂかを選択して、選択したミシン目Ａまたはミシン目Ｂで被押圧部７の一部または全部を切除するようにする。換言すれば、下のミシン目Ｂはマスク本体４と被押圧部７との境界に形成されている。
【００２４】
したがって、手指で被押圧部７を把持してミシン目Ａを目安にこの部分で被押圧部７の一部をちぎるようにすると、被押圧部７の一部を容易に切除することができ、着用者の鼻１０の上下方向長さに応じた適当な上下長さの被押圧部７に調整することができる。そして、下のミシン目Ｂで切除すると、被押圧部７をなくすことができる。
【００２５】
例えば、眼鏡５を使用しない人が立体マスク１を着用する際には下のミシン目Ｂに沿って手指でちぎることによって、被押圧部７の全部を切取るようにする。これによって眼鏡５を使用しない人には余計な部分をできるだけ少なくすることができて一般的なマスクとなり、したがって違和感なく快適に立体マスク１を着用することできる。
【００２６】
マスク本体４は、従来のマスクと同様に通気性を備え、埃や花粉を捕捉するフィルタ機能を備えた平面シートＳによって形成されている。平面シートＳは不織布等のように、埃・花粉等を遮断する通気性を有し、且つ可撓性を有する素材から構成されている。
【００２７】
平面シートＳに使用される素材は、通気性及び可撓性があり、且つ熱融着性を有する不織布であれば特に制限されるものではない。
例えばレーヨン、アクリル、ポリプロピレン、ポリエステル等の化学繊維および該化学繊維を混紡したものやレーヨン、アクリル、ポリプロピレン、ポリエステル等の化学繊維と綿、麻、ウール等の植物性・動物性繊維を混紡したものが使用できる。
【００２８】
平面シートＳとしては、例えば繊維ウエブをニードルパンチや水流絡合などの手段によって絡合処理した不織布又は繊維ウエブの構成繊維を繊維接着した不織布が単独で、若しくは積層して使用できる。
【００２９】
不織布を構成する繊維としては、例えば、ポリオレフィン繊維（例えば、ポリエチレン、ポリプロピレン、ポリエチレン／ポリプロピレン複合繊維）、ナイロン繊維、ポリエステル繊維、レーヨン繊維を用いることができる。
【００３０】
不織布の目付は、３０〜２００ｇ／ｍ2であることが好ましい。目付が、３０ｇ／ｍ2未満であると粉塵の捕集が十分にできなくなる上、強度が不足し、２００ｇ／ｍ2を超えると通気抵抗が増大し、着用者が息苦しさを感じるようになることがわかっている。
【００３１】
平面シートＳが、不織布の積層されているものにおいては、超音波融着や熱融着等で接合する場合を考慮すれば、上記不織布を構成する繊維ウエブ中に１〜１００重量％、１０〜１００重量％の熱可塑性繊維が含まれているものが好ましい。
【００３２】
更に、平面シートＳに使用される素材としては、各種機能を有する素材を単独或いは複数を採用することができる。各種機能を有する素材としては、例えば帯電加工したメルトブロー不織布、ウイルス吸着剤で処理した不織布及び活性炭・消臭材等で処理した不織布等を挙げることができる。
【００３３】
被押圧部７はマスク本体４の上方に突出するように設けられており、被押圧部７の素材はマスク本体４と同様の通気性を有する素材でも良いが、通気性を有さない素材であっても良い。
通気性を有する素材としては、マスク本体４と同じ素材を採用することができる。通気性を有さない素材としては、ポリエチレン、ポリプロピレンなどのポリオレフィン系樹脂のフィルムやナイロンおよびポリエステルのフィルムを採用することができる。
【００３４】
なお、被押圧部７をマスク本体４と異なる素材とする場合には、被押圧部７の素材としてはポリオレフィン系樹脂のフィルムや、ナイロンおよびポリエステルのフィルムの中で特に透明なフィルムを採用すると目立ちにくいので好ましい。
【００３５】
〔マスク本体の形成方法について〕
次に、被押圧部７を含めて、マスク本体４の形成方法を説明する。
図６は、立体マスク１のミシン目Ａ，Ｂを形成する部位となるウエルダー部１５を不織布に形成した図である。
なお、実線がウエルダー部１５ａであり、破線は便宜上記載したもので、後工程でカットされる部分を示している。図７はウエルダー部１５ａを形成した後の不織布を半折にした後マスクの曲線部を形成するためのウエルダー部１５ｂ，１５ｃを形成した図である。
【００３６】
ミシン目Ａ，Ｂを形成するウエルダー部１５ａの間隔は、眼鏡５のパッド６の高さに比べて大きいことが好ましく、下側のミシン目Ｂを形成するウエルダー部１５ａは、眼鏡５を装着した際にそのパッド６よりも下の位置にあるようにすることが好ましい。換言すれば、ウエルダー部１５ａは、立体マスク１を着用し、眼鏡５を装着した際に、ミシン目Ａ，Ｂの間にパッド６が位置するように形成することが最も好ましい。
【００３７】
立体マスク１を形成する方法として、まず不織布においてミシン目Ａ，Ｂを形成する部位にウエルダー部１５ａ（融着痕）を形成する。次に、不織布を長さ方向に二つ折りにし、所定形状に成型された超音波融着機により、マスク本体４の中心部位置にあって融着による接着される接着部（図の太実線で示す）となるウエルダー部１５ｂ，１５ｃを形成する。このウエルダー部１５ｂ，１５ｃはマスク本体４の中心の上下部に相当する位置に形成し、平面視してそれぞれ二つ折りした平面シートＳの折目Ｓ１から、上下位置に離れるほど折目Ｓ１から離れるように湾曲して形成されている。
【００３８】
続いて、切断手段、例えば、トムソン加工によりウエルダー部１５ａ、およびウエルダー部１５ｂ，１５ｃを含むようにして平面シートＳを打ち抜く。また、所定の装置でウエルダー部１５ａにミシン目Ａ，Ｂを形成する。
【００３９】
なお切断手段としては、トムソン加工以外にプレス、ヒートカット等の公知の方法を用いることもできる。トムソン加工とはトムソン型を用いた打ち抜き加工のことをいい、トムソン型とは、ベースとなる板に溝を掘り、溝の部分に刃を入れた型のことをいう。
【００４０】
上記のようにして形成されたマスク本体４では、折目Ｓ１を中心として左右に開けば、ウエルダー部１５ｂ，１５ｃはそれぞれ鼻１０、顎に相当する部分であるから、それぞれの部分がウエルド加工によって左右融着されており、ウエルダー部１５ｂ，１５ｃの間の部分が前方に突出するようになって、立体化されたマスク本体４となる。
【００４１】
〔耳掛け部について〕
耳掛け部８は耳Ｙに掛けることが可能なように環状に形成されており、弾性的に伸張・収縮可能なもので、不織布や織布、プラスチックフィルム、ゴムひも等によって形成される。
マスク本体４に耳掛け部８を接合して一体化する方法としては、マスク本体４の融着部と耳掛け部８の融着部を重ねあわせた後に接着剤による接着、縫合、熱融着、超音波融着などにより接合することができる。
【００４２】
上記のように、マスク本体４を一枚の平面シートＳから形成し、これに耳掛け部８を一体化することで、立体マスク１を安価に製造することが可能となる。
【００４３】
上記のようにして形成した立体マスク１を使用するには、マスク本体４で鼻孔および鼻尖、鼻梁（あるいはその一部）および鼻梁から鼻脇にかけての部分を覆うようにして、耳Ｙに耳掛け部８を掛けるようにする。ここで、眼鏡を使用しない着用者については、一般的な立体マスク１として使用することに差はない。
【００４４】
しかし、この実施形態における立体マスク１には、被押圧部７が設けられている。つまり眼鏡を使用しない着用者にとって立体マスク１の使用時に被押圧部７が邪魔になるようであれば（違和感があるようであれば）、任意のミシン目Ａ，Ｂ、特にミシン目Ｂを目安として、被押圧部７を切断することで、被押圧部７がない状態で使用することができ、違和感なくまた、不要な部分が視野にはいらない状態で使用することができる。
そして、耳掛け部８を耳Ｙに掛けることによりマスク本体４が左右に張られる力を受けた状態となる。
【００４５】
ところで、眼鏡を使用している着用者については、上記のようにして立体マスク１を装着した後に眼鏡を掛けると、眼鏡のパッド６は、一般的には鼻梁１１と鼻脇との間（鼻側面部）に当ることになるから、パッド６によって被押圧部７が押圧されることになり、被押圧部７のほとんどの領域では顔（鼻１０）表面との間に隙間が生じなくなる。
【００４６】
すなわち、目頭１３間では呼気の流出を抑えるから、少なくとも目頭１３側のメガネレンズ２１の曇りは抑制することができる。さらに、耳掛け部８を耳Ｙに掛けることによりマスク本体４が左右に張られる力を受けた状態となっており、このような状態でパッド６で被押圧部７を押圧することにより、マスク本体４の上端部が左右方向ほぼ全域にわたって顔面に密着することになり、したがって呼気が上方に極めて漏れにくくなる。よってメガネレンズ２１の曇りを効果的に防止することができる。
また、被押圧部７をパッド６で押圧することにより、特別に被押圧部７を設けていたとしても、視野に入りにくい。
【００４７】
あるいは眼鏡５を使用している者であっても、被押圧部７の上下方向の長さが長すぎると感じる場合では、図８に示すように上側のミシン目Ａで被押圧部７を切断することで、立体マスク１を不快感なく快適に使用することができる。上側のミシン目Ａで被押圧部７を切断しても、ミシン目Ｂから上の部分で被押圧部７が残っているから、パッド６によって残っている被押圧部７が押圧されて呼気が上方に漏れにくい。また、パッド６が全面的に被押圧部７に当らず、パッド６の一部が被押圧部７から上方に位置ずれしたとしても、パッド６の押圧力で被押圧部７は押圧されるから、呼気が上方に漏れにくい。
なお、被押圧部７がウエルド加工によって左右融着されていたとしてもミシン目Ａを形成していることで、手指の力で容易に切除することができる。
【００４８】
なお、図９は複数のウエルダー部１５を平面シートＳに形成した場合を示している。この図に示すように、実際には平面シートＳには、ミシン目Ａ，Ｂを形成するためのウエルダー部１５ａを平面シートＳの長さ方向に所定間隔を置いて複数形成して、少ない工程で多くの立体マスク１を得るように製造することが製造コストの低減という点から好ましい。
また、切断目としてのミシン目は二箇所に形成したがこれに限定されるものではなく、三個所あるいはそれ以上形成することも可能であり、このようにすることにより、被押圧部７の上下方向長さの決定の自由度が増し、いっそう快適に立体マスク１を使用することが可能となる。
【図面の簡単な説明】
【００４９】
【図１】本発明の実施形態に係る立体マスクを展開する前すなわち半折の状態の平面図
【図２】同じく立体マスクの正面展開図
【図３】同じく立体マスクを着用し眼鏡を装着した使用状態図
【図４】同じく下のミシン目で被押圧部を切取った後の平面図
【図５】同じく下のミシン目で被押圧部を切取った状態の展開図
【図６】同じくミシン目を形成する部位となるウエルダー部を平面シートに形成した平面図
【図７】同じく平面シートを半折にした後マスクの曲線部を形成するためのウエルダー部を形成した平面図
【図８】同じく上のミシン目に沿って被押圧部を切取って立体マスクを着用し眼鏡を装着した使用状態図
【図９】同じく複数のウエルダー部を平面シートに形成した平面図
【符号の説明】
【００５０】
１…立体マスク、２…口、３…鼻孔、４…マスク本体、５…眼鏡、６…パッド、７…被押圧部、７ａ…上端部、１０…鼻、１１…鼻梁、１２…眉間、１３…目頭、１５ａ…ウエルダー部、１５ｂ，１５ｃ…ウエルダー部、２１…メガネレンズ、Ａ，Ｂ…ミシン目、Ｓ…平面シート、Ｓ１…折目、Ｙ…耳
【図１】
2008264277.tif 000003
【図２】
2008264277.tif 000004
【図３】
2008264277.tif 000005
【図４】
2008264277.tif 000006
【図５】
2008264277.tif 000007
【図６】
2008264277.tif 000008
【図７】
2008264277.tif 000009
【図８】
2008264277.tif 000010
【図９】
2008264277.tif 000011